(57)【特許請求の範囲】
【請求項１】
折畳機構を有する折畳式移動体通信端末であって、
回路基板に実装された正面カメラ及び裏面カメラと、
前記正面カメラのカメラ窓及び前記裏面カメラのカメラ窓を覆う蓋と、
前記蓋を開閉させる蓋開閉手段と、
入力されたカメラ動作開始指示に基づいて、前記蓋開閉手段により前記蓋を開かせるとともに、入力されたカメラ動作終了指示に基づいて前記蓋開閉手段によって前記蓋を閉じさせる制御手段と、
前記折畳式移動体通信端末の折畳機構を開いた時に前記蓋が開き、前記折畳機構を閉じたときに前記蓋が閉じる移動体通信端末。
【請求項２】
前記蓋開閉手段が一つのモータを備え、前記一つのモータによって前記正面カメラ及び裏面カメラの蓋が開閉する請求項１に記載の移動体通信端末。
【請求項３】
前記折畳機構によって前記折畳式移動体通信端末を折り畳んだときに内側になる面に設けられた表示画面に、前記カメラに映る画像を表示する表示部をさらに備える請求項１又は２に記載の移動体通信端末。
【請求項４】
前記蓋の開動作に同期して、正面カメラ及び／又は裏面カメラが動作を開始する請求項１、２又は３に記載の移動体通信端末。
【請求項５】
請求項１乃至４のいずれかに記載の前記移動体通信端末に受話部及び送話部を設けたことを特徴とする携帯電話。
【発明の詳細な説明】
【０００１】
【発明の属する技術分野】
本発明は、移動体通信端末に関し、特にカメラを実装した移動体通信端末に関する。
【０００２】
【従来の技術】
最近、移動体通信端末はインターネット接続機能、メール機能が装備されることが一般になっており、さらに、カメラを実装して被写体を撮像できるカメラ機能まで装備されるようになってきた。
【０００３】
しかし、従来のカメラを実装した移動体通信端末は、カメラの開口部を覆う蓋を実装していなかった。この場合、カメラの開口部が常に開いた状態となり、カメラのレンズが汚れたり、傷ついたりするという問題点があった。
【０００４】
この解決策として、カメラの表面に透明カバーを貼り付ける移動体通信端末も出てきた。しかし、カメラ開口部が外から見えるので、移動体通信端末使用者以外の周囲の人に、こっそり撮影されるのではないかという不安感を抱かせる問題点もあった。
【０００５】
この解決策として、カメラの開口部を覆う蓋を実装する移動体通信もあるが、その蓋は、使用者が手動で開閉を行うのでは使用感が悪く、操作性も良くなかった。
【０００６】
【発明が解決しようとする課題】
このように、従来のカメラを実装した移動体通信端末では、カメラのレンズが傷ついたり、汚れたりするという問題点があった。さらに周囲の人に、こっそりカメラで撮影されるのではないかという不安感を抱かせるという問題点もあった。またカメラ用の蓋を実装した移動体通信端末も、使用者が手動で開閉を行っていたため、使用感が悪く、操作性が良くないという問題点があった。
【０００７】
本発明は、このような問題点を解決するためになされたもので、カメラのレンズが汚れたり、傷ついたりするのを防止することができ、周囲の人にこっそり撮影されているのではないかという不安感を与えることがない、操作性の優れた移動体通信端末を提供することを目的とする。
【０００８】
【課題を解決するための手段】
本発明の第１の態様にかかる移動体通信端末は、折畳機構を有する折畳式移動体通信端末であって、回路基板に実装された正面カメラ及び裏面カメラと、前記正面カメラのカメラ窓及び前記裏面カメラのカメラ窓を覆う蓋と、前記蓋を開閉させる蓋開閉手段と、カメラ動作開始指示に基づいて、前記蓋開閉手段により前記蓋を開かせるとともに、カメラ動作終了指示に基づいて前記蓋開閉手段によって前記蓋を閉じさせる制御手段と、前記折畳式移動体通信端末の折畳機構を開いた時に前記蓋が開き、前記折畳機構を閉じたときに前記蓋が閉じるものである。これにより、周囲の人にこっそり撮影されているのではないかという不安感を与えることがない移動体通信端末の操作性を向上することができる。
【０００９】
本発明の第２の態様にかかる移動体通信端末は、上記の移動体通信端末において、前記蓋開閉手段が一つのモータを備え、前記一つのモータによって前記正面カメラ及び裏面カメラの蓋が開閉するものである。これにより、軽量化を図ることができる。
【００１０】
本発明の第３の態様にかかる移動体通信端末は、上記の移動体通信端末において、前記折畳機構によって前記折畳式移動体通信端末を折り畳んだときに内側になる面に設けられた表示画面に、前記カメラに映る画像を表示する表示部をさらに備えるものである。これにより、折畳機構を開けると、カメラ窓の蓋が開くと共に、折畳式移動体通信端末の内側の面に設けられた表示画面に表示されたカメラの画像を見ることができるため、さらに操作性を向上することができる。
【００１１】
本発明の第４の態様にかかる移動体通信端末は、上記の移動体通信端末において、前記蓋の開閉に同期して、正面カメラ及び／又は裏面カメラが動作を開始するものである。
【００１２】
本発明の第５の態様にかかる携帯電話は、上記の移動体通信端末に、受話部及び送話部を設けたことを特徴とするものである。
【００１４】
【発明の実施の形態】
本発明にかかる移動体通信端末を図１（ａ）、図１（ｂ）を用いて説明する。図１（ａ）、図１（ｂ）は折畳式の移動体通信端末の外観を示す斜視図である。図１（ａ）は、折畳式移動体通信端末の折畳を開いた状態、図１（ｂ）は閉じた状態を示す。
【００１５】
２は受話部、３は送話部、１１は受話部フロントケース、１２は受話部リアケース、１３は送話部フロントケース、１４は送話部リアケース、１５は電源、１６はキーボード、１７は表示画面、１８は受話部穴、１９は送話部音穴、２０はヒンジユニット、２１は裏面カメラ窓、２２は正面カメラ窓、３０は蓋、４０はギヤａ、５０はギヤｂを示している。
【００１６】
移動体通信端末は、ＬＣＤ等の表示画面１７や受話部穴１８を有する受話部２と、キーボード１６や送話部音穴１９を有する送話部３に大きく分けられる。表示画面１７を備え折り畳んだ時に内側になる面を正面側、正面側に対向し折り畳んだ時に外側になる面を裏面側としている。
【００１７】
受話部２は、受話部フロントケース１１と受話部リアケース１２で構成される。
受話部フロントケース１１には受話音穴１８を有する。受話部フロントケース１１の中央部には、表示画面１７があり、表示画面１７にはカメラによって撮像された画像等が表示される。受話音穴１８の横に、正面カメラ窓２２を有する。正面カメラ窓２２は、蓋３０によって覆われている。受話部リアケース１２には、カメラ窓２１と、それを覆う蓋３０と、蓋開閉用のモータ５０を有する。
【００１８】
送話部３は、送話部フロントケース１３と、送話部リアケース１４と、電源１５と、キーボード１６で構成される。送話部フロントケース１３には送話音穴１９を有する。キーボード１６はテンキーや、十字キー、決定キー等を有する。
【００１９】
受話部２と送話部３を、ヒンジユニット２０で回動一体化している。これにより受話部２と送話部３を折り畳むことができる。
【００２０】
図２に、本発明の蓋開閉機構の実施例を示す。図２（ａ）は、裏面側から受話部リアケース１２と蓋開閉機構を見た状態を示す。図２（ｂ）は、正面側から受話部フロントケース１１と蓋開閉機構を見た状態を示す。図２（ｃ）は、受話部フロントケース１１と受話部リアケース１２と、蓋３０と蓋開閉機構と、カメラと回路基板２３の位置関係を表す断面図を示す。
【００２１】
図１（ａ）及び図１（ｂ）で付した符号と同一の符号は同一部を示すため説明を省略する。
【００２２】
回路基板２３に、裏面カメラ２４と正面カメラ２５を実装する。この２つのカメラにより広い視野を撮像することができ、さらに異なる被写体を撮影することができる。また受話部リアケース１２の、裏面カメラ２４と相対する位置に、裏面カメラ窓２１を設ける。また、受話部フロントケース１１の、正面カメラ２５と相対する位置に、正面カメラ窓２２を設ける。裏面カメラ窓２１、正面カメラ窓２２を開閉する蓋３０は、回転軸３１を有する。受話部リアケース１２には、回転軸３１を通す、軸受け４１を有する。回転軸３１は、回転の力を受けるギヤａ４０が固定されている。
【００２３】
また、蓋３０を電動で回転させる為のモータ５２が、モータ保持部５３により位置決め固定されている。固定には、両面テープなどを用いる。モータ５２と基板間はケーブルで接続している。モータシャフト５１に、ギアｂ５０が固定されている。ギヤａ４０とギヤｂ５０は、ギヤの歯がかみ合い、回転の力を伝達している。これらが蓋開閉機構を構成し、よって蓋３０が回転し開閉動作を行う。これによりカメラのレンズを露出させたり、覆ったりすることができる。
【００２４】
本発明にかかる移動体通信端末の動作を図３を用いて説明する。図３は本発明にかかる移動体通信端末のブロック図の一例である。アンテナ部６１、無線部６２、音声処理部６３、マイク６４、スピーカー６５、制御部６６、報知部６７、ブザー６８、ＶＩＢモータ６９、キー操作入力部７０、表示制御部７１、表示部７２、データ管理部７３、メモリ部７４、カメラ制御部７５、正面カメラ部７６、裏面カメラ部７７、蓋駆動部７８で構成する。
【００２５】
基地局からの電波をアンテナ部６１により受信し、無線部６２を経て，音声処理部６３にて音声信号に変換し、スピーカー６５から音声出力する。音声はマイク６４で拾い、音声処理部６３，無線部６２を経て，アンテナ部６１から基地局に送信する。この様にして通信を行う。
【００２６】
制御部６６は、報知部６７、キー操作入力部７０、表示制御部７１、カメラ制御部７５を制御する。表示部７２は、表示制御部７１の制御下にある。メモリ部７４は、データ管理部７３の制御下にある。これらはキー操作入力部７０で入力し、その内容を表示部７２で表示する。表示した内容を確認し、キー操作入力部７０で確定操作を行うと、その情報はデータ管理部７３によりメモリ部７４内に格納される。
【００２７】
報知部６７は、制御部６６からの指示により，ブザー６８またはＶＩＢモータ６９を鳴動させて着信報知するとともに，着信電話番号を表示制御部７１に送り、表示部７２に表示するなどの動作をする。
【００２８】
キー操作入力部７０からカメラの動作開始指示を入力すると制御部６６にこの動作開始指示が入力される。制御部６６はカメラ制御部７５に対してこの動作開始指示を出力する。カメラ制御部７５はこの動作開始指示を受け取る。そしてカメラ制御部７５はこの動作開始指示に基づいて蓋駆動部７８を動かし、蓋３０が開く。また同期して、正面カメラ部７６または裏面カメラ部７７またはその両方の動作を開始する。カメラに写る映像は、カメラ制御部７５、制御部６６、表示制御部７１を通り、表示部７２で表示する。これにより撮影できる状態となる。
【００２９】
カメラ撮影指示も、キー操作入力部７０で入力し、制御部６６、カメラ制御部７５を通って正面カメラ部７６または裏面カメラ部７７へ伝えられ，撮影動作を行う。その撮影された画像は制御部６６からデータ管理部７３を通り，メモリ部７４内に格納することが出来る。
【００３０】
カメラ動作終了指示も、キー操作入力部７０で入力し、制御部６６、カメラ制御部７５を通って正面カメラ部７６または裏面カメラ部７７へ伝えられ、撮影終了動作を行う。そしてカメラ制御部７５が蓋駆動部７８を動かし、蓋３０を閉じる。
【００３１】
蓋３０の開閉動作について、図２を用いて説明する。蓋３０の開閉命令をカメラ制御部７５が受け取ると、その情報は回路基板２３からケーブルを伝わり、モータ５２を駆動する。モータ５２の回転力は、モータシャフト５１を通してギア５０ｂを回転させる。ギヤ５０ｂは、ギヤ４０ａへ回転動作を伝え、ギヤ４０ａは回転軸３１を通して蓋３０を回転させる。
【００３２】
図２（ａ）において、蓋３０が実線で描かれた位置が，蓋３０が開いた位置を示し、２点鎖線で描いた位置が、蓋３０が閉じた位置を示す。この位置で、蓋３０はカメラ窓２１を閉じる。図２（ｂ）においても同様で、蓋３０の開閉により、裏面カメラ窓２１及び正面カメラ窓２２が覆われる。これにより正面カメラ窓２２及び裏面カメラ窓２１の２つの窓を１式の蓋３０、モータ５２、モータシャフト５１等で覆うことができる。これによりカメラを正面と裏面に２つ実装しても１式の開閉機構のみを実装すればよく、部品点数を削減することができる。よって移動体通信端末を軽量化でき、コスト低減にも寄与することができる。
【００３３】
その他の実施の形態．
実施の形態１では蓋３０の開閉動作はカメラの動作開始指示及びカメラの動作終了指示に基づいて実行するようにしたが、カメラの動作開始指示及びカメラの動作終了指示とは独立して蓋３０の開閉動作のみを指示するキーボード入力に基づいて実行するようにしてもよい。また蓋３０の開閉動作を行うための入力手段はキーボード１６に限らず、蓋３０の開閉動作にのみ用いられるスイッチでも良い。さらに折畳機構を開いた時に蓋３０が開いてもよく、閉じた時に蓋３０が閉じてもよい。
【００３４】
実施の形態１では正面及び裏面に２つのカメラを設けたが、３つ以上であってもよく、また正面カメラ２５又は裏面カメラ２４のどちらかのみを備える移動体通信端末であってもよい。さらには正面または裏面に限らず、いずれかの面に１つカメラを設けてもよい。この実施の形態でもキーボード１６の入力によって蓋３０の開閉動作を行うことができる。従って操作者は蓋３０の開閉動作を手動で行う必要がなく、操作性を向上することができる。
【００３５】
実施の形態１では受話部リアケース１２及び受話部フロントケース１１にカメラを実装したが、送話部リアケース１４及び送話部フロントケースに１３にそれぞれカメラを実装しても同様の効果が得られる。
【００３６】
また上述の実施の形態ではカメラ使用開始時はキー入力によって、蓋３０の開閉動作が行われたが、さらに手動によっても開閉動作が行わるように良い。この形態でも裏面カメラ２１及び正面カメラ窓２２の開閉動作を１式の蓋開閉機構で行うことができる。さらにモーター５２等が不要になるので移動体通信端末の軽量化が図れる。
【００３７】
また実施の形態１ではギヤａ４０、ギヤｂ６５を用いて蓋３０を回転させることにより窓を覆ったが、ギヤａ４０の代わりに直線軸受けを設けて蓋３０を横方向又は縦方向にスライドさせてもよい。これによっても同様の効果が得られる。さらに蓋の開閉はモータの回転によるものに限らず、電磁ソレノイド、鉄心等を用いてもよい。この場合、鉄心の移動に合わせて、蓋を開閉させることができる。
【００３８】
上述の実施の形態１では折畳式移動体通信端末について図示したが、折畳機構のない移動体通信端末でも同様の効果を得ることができる。またカメラを動作させるスイッチを裏面側に設けてもよい。このスイッチを押した際には蓋の開閉が行われるようにしてもよい。
【００３９】
蓋で開閉される範囲にデジタルカメラだけでなく、フラッシュを実装すればフラッシュとレンズの両方の開閉を１度に行うことができ、さらに操作性を向上できる。
【００４０】
上記の裏面カメラ２４及び正面カメラ２５はＣＣＤカメラであることが望ましい。またカメラはデジタルカメラ又はビデオカメラのいずれでもよい。さらにカメラを設ける面は裏面と正面に限らず、上面や側面でもよい。さらに二つのカメラの位置は対向する面に限られず、いずれの面でもよく例えば上面と正面又は側面と裏面などでもよい。また蓋３０が開いた状態にあり、一定時間以上カメラに対する動作時間がない場合は蓋３０を閉めるようにしてもよい。この時間を操作者が設定できるようにしてもよい。
【００４１】
本発明にかかる移動体通信端末は携帯電話に用いることが好適である。またＰＨＳ（Ｐｅｒｓｏｎａｌ  Ｈａｎｄｙ  Ｐｈｏｎｅ）に用いてもよい。さらには携帯型情報端末（ＰＤＡ  Ｐｅｒｓｏｎａｌ  Ｄｉｇｉｔａｌ  Ａｓｓｉｓｔａｎｔ）に用いることも可能である。
【００４２】
【発明の効果】
本発明によれば、カメラのレンズが汚れたり、傷ついたりするのを防止することができ、周囲の人にこっそり撮影されているのではないかという不安感を与えることがない、操作性が優れた移動体通信端末を提供することができる。
【図面の簡単な説明】
【図１】（ａ）は本発明にかかる移動体通信端末の折畳を開いた状態の斜視図である。（ｂ）は本発明にかかる移動体通信端末の折畳を閉じた状態の斜視図である。
【図２】（ａ）は本発明にかかる移動体通信端末の蓋開閉機構を裏面から見た図である。
（ｂ）は本発明にかかる移動体通信端末の蓋開閉機構を正面から見た図である。
（ｃ）は本発明にかかる移動体通信端末の蓋開閉機構の位置での断面図である。
【図３】本発明にかかる移動体通信端末のブロック図である。
【符号の説明】
２  受話部
３  送話部
１１  受話部フロントケース
１２  受話部リアケース
１３  送話部フロントケース
１４  送話部リアケース
１５  電源
１６  キーボード
１７  表示画面
１８  受話部穴
１９  送話部音穴
２０  ヒンジユニット
２１  裏面カメラ窓
２２  正面カメラ窓
２３  回路基板
２４  裏面カメラ
２５  正面カメラ
３０  蓋
３１  回転軸
４０  ギヤａ
４１  軸受け
５０  ギヤｂ
５１  モータシャフト
５２  モータ
５３  モータ保持部
６１  アンテナ部
６２  無線部
６３  音声処理部
６４  マイク
６５  スピーカー
６６  制御部
６７  報知部
６８  ブザー
６９  ＶＩＢモータ
７０  キー操作入力部
７１  表示制御部
７２  表示部
７３  データ管理部
７４  メモリ部
７５  カメラ制御部
７６  正面カメラ部
７７  裏面カメラ部
７８  蓋駆動部
【図１】
0003751901.tif 000002
【図２】
0003751901.tif 000003
【図３】
0003751901.tif 000004